(57)【要約】【課題】入賞装置におけるパチンコ球の移動状態を勘案して入賞装置に使用されるソレノイドのプランジャの配置位置を工夫することにより、小型化を容易に図ることが可能なパチンコ機の入賞装置を提供する。【解決手段】入賞装置２０において、プランジャ２７Ａの先端に設けられた円板２７Ｂ及びコイルスプリング２７Ｄが移動する移動領域に対応してベース部材２８に開放部２８Ｄを形成し、ソレノイド２７を介してプランジャ２７Ａの円板２７Ｂが移動される際、プランジャ２７Ａの円板２７Ｂ及びコイルスプリング２７Ｄが、開放部２８Ｄ内に入り込んで移動するように構成する。【選択図】図７
2011167248.tif 000002
【特許請求の範囲】
【請求項１】
パチンコ機の遊技領域に設けられパチンコ球が入球する開口からパチンコ球を下方に案内する通路を形成する通路部材と、前記開口を開閉する開閉部材と、前記開閉部材に連結されるプランジャ部材を有するとともに該プランジャ部材を移動することにより前記開閉部材を移動させて前記開口を開閉させるソレノイドとを備えたパチンコ機の入賞装置において、
前記通路部材にて、前記プランジャ部材が移動する移動領域に対応して形成された開放部を備え、
前記ソレノイドを介して前記プランジャ部材が駆動される際、前記プランジャ部材は前記通路部材に形成された前記開放部に入り込んで移動されることを特徴とするパチンコ機の入賞装置。
【請求項２】
前記開放部は、前記通路部材の通路を通過するパチンコ球の通過領域とは無関係な隅部に形成されていることを特徴とする請求項１に記載のパチンコ機の入賞装置。
【請求項３】
前記ソレノイドを駆動して前記プランジャ部材を移動させることにより前記開閉部材を移動させて前記開口を開放する際、前記プランジャ部材の移動方向とパチンコ球が前記通路部材の通路を移動する方向とは相互に一致することを特徴とする請求項１又は請求項２に記載のパチンコ機の入賞装置。
【発明の詳細な説明】
【技術分野】
【０００１】
本発明は、パチンコ機の遊技領域に配設され、開閉部材をソレノイドのプランジャにより移動させて球受部材の開口を開閉するパチンコ機の入賞装置に関し、特に、入賞装置におけるパチンコ球の移動状態を勘案して入賞装置におけるプランジャの配置位置を工夫することにより、小型化を容易に図ることが可能なパチンコ機の入賞装置に関するものである。
【背景技術】
【０００２】
従来より、例えば、特開２００１−７０５２８号公報には、開口を有する球受部材及び球受部材の開口を開閉する開閉部材を備え、ソレノイドを駆動してプランジャを移動させ、これに基づき開閉部材を移動させることにより球受部材における開口の開閉を行うように構成した入賞装置が提案されている。
【０００３】
前記入賞装置においては、パチンコ球の通路が球受部材に一体に形成されており、また、球受部材における開口の開閉を行う開閉部材を駆動するためのソレノイドを球受部材の外側上方に配置している。
かかる入賞装置では、球受部材に形成されるパチンコ球の通路は、パチンコ球が円滑に通過できるように、パチンコ球のサイズよりも余裕をもって通過空間が形成されているのが一般的である。
【先行技術文献】
【特許文献】
【０００４】
【特許文献１】特開２００１−７０５２８号公報
【発明の概要】
【発明が解決しようとする課題】
【０００５】
近年、パチンコ機では、エンターティンメント性を向上すべく、遊技盤面のサイズを拡大したり、また、遊技盤面に設けられる表示装置・センター役物等の各種装置を大型化する傾向が強い。これに起因して、前記以外の入賞装置を遊技盤面に配置する際の自由度が低下してしまう。かかる事情下において、配置の自由度を向上すべく入賞装置の小型化が望まれている。
【０００６】
しかしながら、前記特許文献１に記載された入賞装置では、開閉部材を駆動するソレノイドが球受部材の外側に配置されていることから、入賞装置全体が大型化してしまい、かかる構成を採用する限り入賞装置の小型化を行うのは困難である。
【０００７】
本発明は、前記従来における問題点を解消するためになされたものであり、入賞装置におけるパチンコ球の移動状態を勘案して入賞装置に使用されるソレノイドのプランジャの配置位置を工夫することにより、小型化を容易に図ることが可能なパチンコ機の入賞装置を提供することを目的とする。
【課題を解決するための手段】
【０００８】
前記目的を達成するため請求項１に係るパチンコ機の入賞装置は、パチンコ機の遊技領域に設けられパチンコ球が入球する開口からパチンコ球を下方に案内する通路を形成する通路部材と、前記開口を開閉する開閉部材と、前記開閉部材に連結されるプランジャ部材を有するとともに該プランジャ部材を移動することにより前記開閉部材を移動させて前記開口を開閉させるソレノイドとを備えたパチンコ機の入賞装置において、前記通路部材にて、前記プランジャ部材が移動する移動領域に対応して形成された開放部を備え、前記ソレノイドを介して前記プランジャ部材が駆動される際、前記プランジャ部材は前記通路部材に形成された前記開放部に入り込んで移動されることを特徴とする。
【０００９】
請求項１に係るパチンコ機の入賞装置では、通路部材にて、プランジャ部材が移動する移動領域に対応して形成された開放部を備え、ソレノイドを介してプランジャ部材が駆動される際、プランジャ部材は通路部材に形成された開放部に入り込んで移動されるので、通路部材に形成される開放部を利用してプランジャ部材を移動させることができる。これにより、通路部材の外側でプランジャ部材を移動させる必要がなくなり、入賞装置全体の小型化を図ることができる。
【００１０】
請求項２に係るパチンコ機の入賞装置は、請求項１の入賞装置において、前記開放部は、前記通路部材の通路を通過するパチンコ球の通過領域とは無関係な隅部に形成されていることを特徴とする。
【００１１】
請求項２に係るパチンコ機の入賞装置では、通路部材に形成される開放部は、通路部材の通路を通過するパチンコ球の通過領域とは無関係な隅部に形成されているので、開放部内でプランジャ部材が移動してもプランジャ部材がパチンコ球と接触することはなく、通路を介してパチンコ球を円滑に案内することができる。
【００１２】
請求項３に係るパチンコ機の入賞装置は、請求項１又は請求項２の入賞装置において、前記ソレノイドを駆動して前記プランジャ部材を移動させることにより前記開閉部材を移動させて前記開口を開放する際、前記プランジャ部材の移動方向とパチンコ球が前記通路部材の通路を移動する方向とは相互に一致することを特徴とする。
【００１３】
請求項３に係るパチンコ機の入賞装置では、ソレノイドを駆動してプランジャ部材を移動させることにより開閉部材を移動させて開口を開放する際、プランジャ部材の移動方向とパチンコ球が通路部材の通路を移動する方向とは相互に一致しているので、ソレノイドの駆動タイミングにずれが発生してパチンコ球とプランジャ部材とが接触するような場合においても、プランジャ部材がパチンコ球の移動を妨げることはなく、通路に沿ってパチンコ球を円滑に案内することができる。
【図面の簡単な説明】
【００１４】
【図１】本実施形態に係るパチンコ機の遊技盤の正面図である。
【図２】入賞装置の分解斜視図である。
【図３】入賞装置を分解して下方より示す分解斜視図である。
【図４】ソレノイドにおけるプランジャの円板とリンク部材における係合部の係合溝との係合状態を示す入賞装置の底面図である。
【図５】開閉扉を閉塞した状態を示す入賞装置の平面図である。
【図６】開閉扉を閉塞した状態で上カバーを取り外して示す入賞装置の斜視図である。
【図７】開閉扉を閉塞した状態を示す入賞装置の断面図である。
【図８】開閉扉を開放した状態を示す入賞装置の平面図である。
【図９】開閉扉を開放した状態で上カバーを取り外して示す入賞装置の斜視図である。
【図１０】開閉扉を開放した状態を示す入賞装置の断面図である。
【発明を実施するための形態】
【００１５】
以下、本発明に係るパチンコ機の入賞装置について、本発明を具体化した実施形態に基づき図面を参照しつつ説明する。
先ず、本実施形態に係るパチンコ機に取り付けられる遊技盤の概略構成について図１に基づき説明する。
【００１６】
図１において、遊技盤１はベニヤ板等の板状部材で形成される。かかる遊技盤１には、その外周端部付近に、円弧状の外レール２、逆流防止弁３及び内レール４が取り付けられている。これらの外レール２、逆流防止弁３及び内レール４によって囲まれた円形状の領域が遊技領域５となる。そして、遊技領域５内には、釘や後述の各種役物が配置されている。そして、逆流防止弁３で仕切られた放出口６から飛び出したパチンコ球は、自重落下をするとともに釘や各種役物と接触して遊技領域５内を転動する。
【００１７】
また、遊技領域５には、遊技領域５の中心部を基準として、通過ゲート（スルー・チヤッカー）７、第１特別図柄始動口（スタート・チャッカー）８、第１特別図柄始動口８の下方位置に第２特別図柄始動口９等が配設されている。この第２特別図柄始動口９の下方には、遊技領域５の下端部付近に位置する大入賞口１０が配置されている。
【００１８】
第１特別図柄始動口８には、パチンコ球の入賞を検出する始動口スイッチ（図示せず）が設けられ、パチンコ球の入賞を検出することで後述の画像表示装置１１において識別図柄の変動が開始される。また、第１特別図柄始動口８にパチンコ球が入賞した時点で、大当り遊技を付与するか否かに関する大当り抽選と、小当り遊技を付与するか否かに関する小当り抽選とがそれぞれ実施される。
【００１９】
尚、大当り抽選は、所定の時間間隔につき一定の単位値だけ更新する更新処理が所定の値の範囲内で行われる大当りカウンタを用いて行われる。そして、主制御基板はパチンコ球が第１特別図柄始動口８に入球することに基づいて大当りカウンタの更新結果を検出し、大当りカウンタの検出結果に基づいて大当り遊技を付与するか否かを判定する。同様に、小当り抽選については、所定の時間間隔につき一定の単位値だけ更新する更新処理が所定の値の範囲内で行われる小当りカウンタを用いて行われる。そして、主制御基板はパチンコ球が第１特別図柄始動口８に入球することに基づいて小当りカウンタの更新結果を検出し、小当りカウンタの検出結果に基づいて小当り遊技を付与するか否かを判定する。
【００２０】
また、大入賞口１０には、遊技盤１に対して垂直方向に開閉動作を行う開閉扉１２が設けられており、当該開閉扉１２が開放又は閉塞することによって大入賞口１０が開口又は閉塞するように構成されている。大当り遊技が付与されることに基づき開閉扉１２が開放される時には、開閉扉１２上に落下した遊技球が開閉扉１２に案内されて大入賞口１０へ入賞する。
【００２１】
通過ゲート７をパチンコ球が通過すると、画像表示装置１１における普通図柄表示部１１Ａにて普通図柄の変動表示が行われ、所定の普通図柄の組み合わせが表示されると、第２特別図柄始動口９の羽根が開放され、第２特別図柄始動口９へとパチンコ球が高い確率で入賞する。また、第２特別図柄始動口９には、パチンコ球の入賞を検出する始動口スイッチ（図示せず）が設けられ、パチンコ球の入賞を検出することで後述の画像表示装置１１において識別図柄の変動が開始される。また、第２特別図柄始動口９にパチンコ球が入賞した時点で、大当り遊技を付与するか否かに関する大当り抽選と、小当り遊技を付与するか否かに関する小当り抽選とが実施される。尚、大当り抽選及び小当り抽選では、上述した大当たりカウンタと小当りカウンタが同様に用いられる。
【００２２】
また、遊技領域５には、風車１３や、遊技領域５内を自重落下するパチンコ球を所定の経路に誘導する多数の遊技釘１４が設けられている。これらの風車１３及び遊技釘１４は、形状（具体的には曲率や遊技盤に対する角度）が調整可能に配置され、パチンコ球と接触することによりパチンコ球の転動方向を変化させる。そして、パチンコ球は、風車１３や遊技釘１４等により第１特別図柄始動口８や第２特別図柄始動口９の近傍に案内される。なお、遊技盤１の中央下方には、遊技盤１の裏面側通路と前面側通路とにパチンコ球の通路が設けられたステージを設けてもよい。ステージ上に案内されたパチンコ球は、第１特別図柄始動口８に入賞しやすくなる。
【００２３】
更に、遊技盤１の最下位置には、外れ球を遊技盤１の裏側へ排出するアウト口１５が設けられている。
【００２４】
また、遊技盤１の中央部には、後述の画像表示装置１１の周囲を囲うように飾り部材１６が設置されている。また、飾り部材１６の内側の底面にはパチンコ球を転動させるステージ１７が形成されている。
【００２５】
また、画像表示装置１１は例えばＬＣＤからなり、遊技盤１の中央に開設された開口部に配設されている。そして、画像表示装置１１には、遊技の進行に従ってキャラクタの画像や識別図柄、普通図柄等を表示し、パチンコ機の内部抽選の抽選結果（例えば、大当りやリーチはずれ等）を遊技者に対して報知する。更に、所定時間以上入賞口やアウト口１５にパチンコ球が入賞しない場合には、デモ画面を表示させる。
【００２６】
更に、遊技領域５において、第１特別図柄始動口８、第２特別図柄始動口９の左下位置及び大入賞口１０の左上位置には、入賞装置２０がネジ２１を介して取り付けられている。
以下、かかる入賞装置２０の構成について、図２乃至図１０に基づき説明する。
先ず、入賞装置２０を構成する部品について、図２及び図３に基づき説明する。
図２、図３において、入賞装置２０は、基本的に、球受部材２２、取付部材２３、上カバー部材２４、リンク部材２５、開閉部材２６、ソレノイド２７、ベース部材２８、通路規制部材２９及び下カバー部材３０から構成されている。
【００２７】
ここに、球受部材２２は上方に開口する球受開口２２Ａを有しており、また、球受開口２２Ａ下方の底部には、球受開口２２Ａに入ったパチンコ球を入賞装置２０の内部に案内する案内溝２２Ｂ（図３、図９参照）が形成されている。また、球受部材２２の球受開口２２Ａを構成するＵ字状部の背面側には、図３に示すように、４つの取付孔２２Ｃが形成されている。
【００２８】
取付部材２３は、入賞装置２０を遊技盤１の遊技領域５に取り付けるための部材であり、四角形状の板状部２３Ａの四隅に設けられた取付孔２３Ｂに挿通されるネジ２１を介して遊技領域５にネジ止めされる。また、板状部２３Ａには、開閉部材２６における板状の開閉部２６Ａを挿通する水平溝２３Ｃと、球受部材２２の案内溝２２Ｂに連続してパチンコ球を案内する長円状の長溝２３Ｄとが一体に形成されている。取付部材２３の背面側には、長溝２３Ｄの下側半円部に連続して下方に傾斜する案内樋部２３Ｅが形成されており、案内樋部２３Ｅは長溝２３Ｄを通過するパチンコ球を入賞装置２０の内部に案内するものであり、パチンコ球通路の一部を構成する。尚、取付部材２３の背面側には、２つのボス２３Ｆが形成されているが、これらのボス２３Ｆは、後述するように、下カバー部材３０のボス受部３０Ａに締結されるものである。
【００２９】
上カバー部材２４は入賞装置２０の上面をカバーし、裏面に設けられた２つのボス２４Ａを介してベース部材２８のボス受部２８Ａにネジ止めされる。
【００３０】
リンク部材２５は、ソレノイド２７により駆動されて移動するプランジャ２７Ａの動きを開閉部材２６に伝達するための部材であり、その一端部（図２中右端部）には支持軸２５Ａが設けられており、また、その他端部（図２中左端部）の下面には係合軸２５Ｂが設けられている。支持軸２５Ａはベース部材２８の軸受部２８Ｂに回動可能に支持され、また、係合軸２５Ｂは開閉部材２６の長孔２６Ｂに移動可能に遊嵌される。更に、リンク部材２５の下面にて支持軸２５Ａの近傍位置には、係合ボス２５Ｃが設けられており、かかる係合ボス２５Ｃには係合溝２５Ｄ（図３、図４参照）が形成されている。係合溝２５Ｄはソレノイド２７におけるプランジャ２７Ａの先端に設けられた円板２７Ｂが係合される。
【００３１】
開閉部材２６の前側（図２、図３中左側）には板状の開閉部２６Ａが形成されており、この開閉部２６Ａは、取付部材２３に形成された水平溝２３Ｃに出入可能に挿通されている。また、開閉部材２６に形成された長溝２６Ｂにはリンク部材２５の係合軸２５Ｂが遊嵌されており、リンク部材２５の回動動作に従って係合軸２５Ｂが長溝２６Ｂ内を移動することに基づき、開閉部材２６は前後方向に移動される。これより、開閉部材２６の開閉部２６Ａは水平溝２３Ｃを介して出入することとなる。
【００３２】
ソレノイド２７はプランジャ２７Ａを備えており、また、プランジャ２７Ａの先端には円板２７Ｂが設けられている。更に、ソレノイド２７の外側ケース２７Ｃと円板２７Ｂの間にはコイルスプリング２７Ｄが挿嵌されている。尚、図２、図３には、非励磁状態にあるソレノイド２７が示されており、かかる非励磁状態ではプランジャ２７Ａはコイルスプリング２７Ｄのバネ力により突出した状態にあり、また、ソレノイド２７が励磁駆動されるとプランジャ２７Ａはコイルスプリング２７Ｄのバネ力に抗して吸引されてソレノイド２７の内部に引き込まれる。
【００３３】
ここで、ソレノイド２７を介して開閉部材２６が移動される動作につき説明する。
先ず、ソレノイド２７が非励磁状態では、プランジャ２７Ａは、図２に示すように、コイルスプリング２７Ｄのバネ力を介して突出した状態にあり、この状態では、円板２７Ｂが係合ボス２５Ｃの係合溝２５Ｄに係合されているものの、リンク部材２５は支持軸２５Ａの回りに回動することはない。この状態では、開閉部材２６の開閉部２６Ａは取付部材２３の水平溝２３Ｃから突出して球受部材２２の球受開口２２Ａを閉塞している。
これに対してソレノイドが励磁駆動されると、プランジャ２７Ａはコイルスプリング２７Ｄのバネ力に抗してソレノイド２７の内部に引き込まれ、これと同時に、係合ボス２５Ｃの係合溝２５Ｄに係合されている円板２７Ｂもプランジャ２７Ａの引き込み方向に移動する。これに基づき、係合ボス２５Ｃが支持軸２５Ａを中心として図２中時計方向に回転され、リンク部材２５も支持軸２５Ａの回りで時計方向に回転される。かかるリンク部材２５の回転に従って、係合軸２５Ｂは開閉部材２６の長溝２６Ｂ内を移動され、開閉部材２６は、その開閉部２６Ａが水平溝２３Ｃから退出するように移動される。この結果、球受部材２２の球受開口２２Ａは開放状態となる。
【００３４】
ベース部材２８には、２つのボス受部２８Ａ及び軸受部２８Ｂが形成されており、ボス受部２８Ａには、前記したように、上カバー部材２４のボス２４Ａがネジ止めされ、また、軸受部２８Ｂには、前記したように、リンク部材２５の支持軸２５Ａが回動可能に支持される。また、ベース部材２８には、ソレノイド２７を設置する設置部２８Ｃが形成されており、また、図３に示すように、設置部２８Ｃの前側（図３中左側）に開放部２８Ｄが設けられている。かかる開放部２８Ｄについては後述する。
【００３５】
通路規制部材２９には、取付部材２３の案内樋部２３Ｅにより案内されてくるパチンコ球を通過させ、その通過時にパチンコ球の上下方向の運動を規制する案内規制孔２９Ａが形成されている。通路規制部材２９の案内規制孔２９Ａはパチンコ球通路の一部を構成する。
【００３６】
下カバー部材３０は入賞装置２０の下面をカバーするものであり、前側（図２中左側）に設けられたボス受部３０Ａには、取付部材２３のボス２３Ｆが締結される。また、下カバー部材３０の底面には、図３に示すように、通路規制部材２９の案内規制孔２９Ａを通過するパチンコ球を下方に案内する案内孔３０Ｂが形成されている。案内孔３０Ｂはパチンコ球通路の一部を構成する。
【００３７】
続いて、前記した各構成部品から組み立てられる入賞装置２０の動作について、図２、図３、図５乃至図１０に基づき説明する。
先ず、ソレノイド２７が励磁されていない非励磁状態にある入賞装置２０について図５乃至図７に基づき説明する。
【００３８】
ソレノイド２７が非励磁状態にある場合、ソレノイド２７のプランジャ２７Ａはコイルスプリング２７Ｄのバネ力を介して突出した状態にあり、この状態では、リンク部材２５は、プランジャ２７Ａ先端の円板２７Ｂと係合ボス２５の係合溝２５Ｄとの係合に基づき、図６に示すように、支持軸２５Ａを回転軸として入賞装置２０の前側（反時計方向）に回動された状態にある。このようにリング部材２５が反時計方向に回動された状態では、開閉部材２６の長溝２６Ｂに遊嵌されたリンク部材２５の係合軸２５Ｂが長溝２６Ｂの端部（図６中右側端部）に当接しており、これにより開閉部材２６の開閉部２６Ａは、取付部材２３の水平溝２３Ｃから突出して球受部材２２の球受開口２２Ａを閉塞している。
【００３９】
ここで、前記のようにソレノイド２７が非励磁状態にあり開閉部材２６の開閉部２６Ａが球受部材２２の球受開口２２Ａを閉塞している状態における入賞装置２０の内部構造について図７に基づき説明する。
図７において、ソレノイド２７、プランジャ２７Ａの先端に設けられた円板２７Ｂ及びコイルスプリング２７Ｄは、ベース部材２８の下側に形成された開放部２８Ｄ内に入り込むように構成されている。ここに、開放部２８Ｄは、プランジャ２７Ａの円板２７Ｂ及びコイルスプリング２７Ｄの移動領域に対応するように形成されている。
【００４０】
また、図７において、球受開口２２Ａから入ったパチンコ球は、球受部材２２の案内溝２２Ｂ、取付部材２３の案内樋部２３Ｅ及び通路案内規制部材２９の案内規制孔２９Ａの底壁に沿って矢印３１で示す経路を通過して案内され下カバー部材３０の案内孔３０Ｂから下方に落下していくが、パチンコ球は略完全な球体であることから、案内孔３０Ｂの上側には、パチンコ球の経路３１に沿って形成されるパチンコ球の通過領域とは無関係な隅部３２が発生する。ここに、前記ベース部材２８の開放部２８Ｄは、隅部３２に対応して形成されることとなる。
【００４１】
このように、開放部２８Ｄは、パチンコ球が略完全な球体であることに基づき、パチンコ球の経路３１に沿って形成されるパチンコ球の通過領域とは無関係な隅部３２に形成されているので、開放部２８Ｄ内でプランジャ２７Ａの円板２７Ｂ及びコイルスプリング２７Ｄが移動しても円板２７Ｂ及びコイルスプリング２７Ｄがパチンコ球と接触することはなく、経路３１に沿ってパチンコ球を円滑に案内することができる。
【００４２】
次に、ソレノイド２７が励磁されて励磁状態にある入賞装置２０について図８乃至図１０に基づき説明する
ソレノイド２７が励磁駆動されると、ソレノイド２７のプランジャ２７Ａはコイルスプリング２７Ｄのバネ力に抗してソレノイド２７の内部に引き込まれ、これと同時に、係合ボス２５Ｃの係合溝２５Ｄに係合されている円板２７Ｂもプランジャ２７Ａの引き込み方向に移動する。これに基づき、係合ボス２５が支持軸２５Ａを回転軸として図６中時計方向に回転され、リンク部材２５も支持軸２５Ａの回りで時計方向に回転される。かかるリンク部材２５の回転に従って、係合軸２５Ｂは開閉部材２６の長溝２６Ｂ内を移動されて長溝２６Ｂの端部（図６中左側端部）に当接し、これにより開閉部材２６の開閉部２６Ａは水平溝２３Ｃから退出するように移動される。この結果、図８乃至図１０に示すように、球受部材２２の球受開口２２Ａは開放状態となる。
【００４３】
ここで、前記のようにソレノイド２７が励磁されて開閉部材２６の開閉部２６Ａが球受部材２２の球受開口２２Ａを開放している状態における入賞装置２０の内部構造について図１０に基づき説明する。
図１０において、ソレノイド２７におけるプランジャ２７Ａの先端に設けられた円板２７Ｂ及びコイルスプリング２７Ｄは、ベース部材２８の下側に形成された開放部２８Ｄ内に入り込んで移動される。
【００４４】
このように、プランジャ２７Ａの先端に設けられた円板２７Ｂ及びコイルスプリング２７Ｄが移動する移動領域に対応してベース部材２８に開放部２８Ｄが形成され、ソレノイド２７を介してプランジャ２７Ａの円板２７Ｂが移動される際、プランジャ２７Ａの円板２７Ｂ及びコイルスプリング２７Ｄは、開放部２８Ｄ内に入り込んで移動されるので、球受部材２２の案内溝２２Ｂ、取付部材２３の案内樋部２３Ｅ、通路規制部材２９の案内規制孔２９Ａ、ベース部材２８の開放部２８Ｄ及び下カバー部材３０の案内孔３０Ｂから形成されるパチンコ球通路の一部を利用してプランジャ２７Ａの円板２７Ｂ及びコイルスプリング２７Ｄを移動させることができる。これにより、パチンコ球通路の外側でプランジャ部材２７Ａの円板２７Ｂ及びコイルスプリング２７Ｄを移動させる必要がなくなり、入賞装置２０全体の小型化を図ることができる。
【００４５】
また、前記のようにソレノイド２７を励磁駆動してプランジャ２７Ａの円板２７Ｂを移動させて開閉部材２６の開閉部２６Ａを移動させ、球受部材２２の球受開口２２Ａを開放する際、図１０に示すように、プランジャ２７Ａは左方向に移動される。このプランジャ２７Ａの移動方向は、経路３１で示すパチンコ球の移動方向とは、相互に略一致している。
【００４６】
このように、ソレノイド２７を駆動してプランジャ２７Ａを移動させることにより開閉部材２６を移動させて球受部材２２の球受開口２２Ａを開放する際、プランジャ２７Ａの円板２７Ｂの移動方向と経路３１で示すパチンコ球の移動方向とは、相互に略一致しているので、ソレノイド２７の駆動タイミングにずれが発生してパチンコ球とプランジャ２７Ａの円板２７Ｂとが接触するような場合においても、プランジャ２７Ａの円板２７Ｂがパチンコ球の移動を妨げることはなく、経路３１に沿ってパチンコ球を円滑に案内することができる。
【００４７】
以上説明した通り本実施形態に係るパチンコ機の入賞装置２０では、プランジャ２７Ａの先端に設けられた円板２７Ｂ及びコイルスプリング２７Ｄが移動する移動領域に対応してベース部材２８に開放部２８Ｄが形成され、ソレノイド２７を介してプランジャ２７Ａの円板２７Ｂが移動される際、プランジャ２７Ａの円板２７Ｂ及びコイルスプリング２７Ｄは、開放部２８Ｄ内に入り込んで移動されるので、球受部材２２の案内溝２２Ｂ、取付部材２３の案内樋部２３Ｅ、通路規制部材２９の案内規制孔２９Ａ、ベース部材２８の開放部２８Ｄ及び下カバー部材３０の案内孔３０Ｂから形成されるパチンコ球通路の一部を利用してプランジャ２７Ａの円板２７Ｂ及びコイルスプリング２７Ｄを移動させることができる。これにより、パチンコ球通路の外側でプランジャ部材２７Ａの円板２７Ｂ及びコイルスプリング２７Ｄを移動させる必要がなくなり、入賞装置２０全体の小型化を図ることができる。
【００４８】
また、開放部２８Ｄは、パチンコ球が略完全な球体であることに基づき、パチンコ球の経路３１に沿って形成されるパチンコ球の通過領域とは無関係な隅部３２に形成されているので、開放部２８Ｄ内でプランジャ２７Ａの円板２７Ｂ及びコイルスプリング２７Ｄが移動しても円板２７Ｂ及びコイルスプリング２７Ｄがパチンコ球と接触することはなく、経路３１に沿ってパチンコ球を円滑に案内することができる。
【００４９】
更に、ソレノイド２７を駆動してプランジャ２７Ａを移動させることにより開閉部材２６を移動させて球受部材２２の球受開口２２Ａを開放する際、プランジャ２７Ａの円板２７Ｂの移動方向と経路３１で示すパチンコ球の移動方向とは、相互に略一致しているので、ソレノイド２７の駆動タイミングにずれが発生してパチンコ球とプランジャ２７Ａの円板２７Ｂとが接触するような場合においても、プランジャ２７Ａの円板２７Ｂがパチンコ球の移動を妨げることはなく、経路３１に沿ってパチンコ球を円滑に案内することができる。
【００５０】
尚、本発明は前記実施形態に限定されるものではなく、本発明の要旨を逸脱しない範囲内で種々の改良、変形が可能であることは勿論である。
例えば、前記実施形態では、球受部材２２の案内溝２２Ｂ、取付部材２３の案内樋部２３Ｅ、通路規制部材２９の案内規制孔２９Ａ、ベース部材２８の開放部２８Ｄ及び下カバー部材３０の案内孔３０Ｂから形成されるパチンコ球通路の内、ベース部材２８の開放部２８Ｄに基づきパチンコ球通路の上方部を開放してプランジャ２７Ａの円板２７Ｂを移動させるように構成されているが、かかる開放部２８Ｄは、ソレノイド２７の配置位置に起因する円板２７Ｂの移動状態を勘案して、パチンコ球通路の上部以外の側部等に形成しても良い。
【符号の説明】
【００５１】
１      遊技盤
５      遊技領域
２２    球受部材
２２Ａ  球受開口
２３    取付部材
２３Ｅ  案内樋部
２４    上カバー部材
２５    リンク部材
２６    開閉部材
２６Ａ  開閉部
２７    ソレノイド
２７Ａ  プランジャ
２７Ｂ  円板
２８    ベース部材
２８Ｄ  開放部
２９    通路規制部材
２９Ａ  通路規制孔
３０    下カバー部材
３０Ｂ  案内孔
３１    経路
３２    隅部
【図１】
2011167248.tif 000003
【図２】
2011167248.tif 000004
【図３】
2011167248.tif 000005
【図４】
2011167248.tif 000006
【図５】
2011167248.tif 000007
【図６】
2011167248.tif 000008
【図７】
2011167248.tif 000009
【図８】
2011167248.tif 000010
【図９】
2011167248.tif 000011
【図１０】
2011167248.tif 000012